(57)【要約】      （修正有）【課題】バットスイング速度を客観的に統一した判断を可能にすることができるスイング速度計付バットを提供する。【解決手段】センサー（例えば加速度センサー）とマイコン等を内蔵して、演算によりスイングスピードやスイング回数を求め、表示手段（例えば７セグメントＬＥＤやＬＣＤ）によりスピードや回数を表示できる計測表示装置２をバット１に取り付ける。また、バット１に取付可能とするため、固定リングと滑り止めベルトを組み合わせてバット１に取り付けて、該滑り止めベルトの凹凸部と、計測表示装置２の底面にある凹凸部とを密着させて滑り止めとすると共に、固定バンドにより該計測表示装置２をバット１に固定する。【選択図】図１
0003208433.tif 000002
【実用新案登録請求の範囲】
【請求項１】
バットのスイング速度を計測する速度検出センサーと、この速度検出センサーからの信号により、スイングスピードを演算する演算手段と、演算手段の結果を表示する表示部と備えたスイング速度計付バットにおいて、前記速度検出センサーのオンオフを、バットのグリップに設けた指圧センサーにて行うことを特徴とするスイング速度計付バット。
【請求項２】
指圧センサーが、グリップに設けた指溝であることを特徴とする請求項１記載のスイング速度計付バット。
【考案の詳細な説明】
【技術分野】
【０００１】  本考案は、野球で使用するバットに関し、打者のスイングスピードを計測できるスイング速度計付バットに関するものである。
【背景技術】
【０００２】  従来、特許文献１に開示された、バットの素振り時にスイングスピードやスイング回数の計測が可能にされたバットスイング計測装置が提案されている。【０００３】  この装置は、加速度センサーとマイコン等を内蔵して、演算によりスイングスピードやスイング回数を求め、ＬＥＤ表示手段によりスピードや回数を表示できる計測装置を、バットに固定バンドにより取り付けるようにされている。他にも慣性センサーを用いてゴルフクラブのスイングのヘッドスピードを測定する装置（特許文献２参照）が提案されている。
【先行技術文献】
【特許文献】
【０００５】
【特許文献１】実用新案登録第３１６０７２０号公報
【特許文献２】特開２０１５−１３９５６２号公報
【考案の概要】
【考案が解決しようとする課題】
【０００６】  しかしながら、特許文献１の装置は、市販のバットに自由に取り付けることができるものの、打者によって、使用するバットの規格（重量、長さ、グリップの太さ）や握持位置が様々なので、スイング速度の判断基準として客観的に統一された判断ができないという課題がある。
本考案は、上記従来の課題に鑑み、バットスイング速度を客観的に統一した判断を可能にすることができるスイング速度計付バットを提供することを目的とする。
【課題を解決するための手段】
【０００７】  本考案のスイング速度計付バットは、バットのスイング速度を計測する速度検出センサーと、この速度検出センサーからの信号により、スイングスピードを演算する演算手段と、演算手段の結果を表示する表示部と備えたスイング速度計付バットにおいて、前記速度検出センサーのオンオフを、バットのグリップに設けた指圧センサーにて行うことを第１の特徴とする。
また、指圧センサーが、グリップに設けた指溝であることを第２の特徴とする。
【考案の効果】
【０００８】  一般市販されているバットに装置を装着するだけで済み、計測専用のバットを購入する必要がないので購入コストが安く済む。【０００９】  また市販のバットが使用できるので、バットのメーカーや材質は自分にあった物を選択できるという利点がある。
【図面の簡単な説明】
【００１０】
【図１】本考案に係るスイング速度計付バットの正面図である。
【図２】本考案に係るスイング速度計付バットのグリップ部分の断面図である。
【図３】（ａ）は計測表示部の拡大図、（ｂ）は受信データ表示画面に一例である。
【図４】本考案に係るバットに取付けるウエイトの（ａ）は正面図、（ｂ）は取付けた状態を示す斜視図である。
【図５】ウエイトの他の実施形態を示す要部を拡大した斜視図である。
【考案を実施するための形態】
【００１１】  市販のバットに取りつけるという目的を、最少の部品点数で実現した。
【実施例１】
【００１２】  図１は、本考案装置の１実施例の説明図であって、１は固定リング、２は滑り止めベルト、３は計測装置本体、４は固定バンド、５は表示ランプ、６は操作スイッチ、７は表示器である。【００１３】  計測装置本体３の中には、バットのスイングスピードとスイング回数を計測するためのセンサーと、該センサーの信号を演算処理するマイコン基板と、該マイコン基板を動作させるための電源が内蔵されている。【００１４】  該センサーは加速度センサーの使用が望ましく、該センサーの信号をスイングスピードの計測に使用するだけでなく、スイング回数の計測にも使用する事により、一定スピード以下のスイングをノーカウントとする事ができ、正確なスイング回数を計測する事ができる。【００１５】  該マイコン基板は、該センサーからの信号を基に演算処理を行い、スイングスピードとスイング回数を計算する。また計算結果は、該マイコン基板により７セグメント表示データに変換され、表示器７にスイングスピードまたはスイング回数として数値にて表示される。【００１６】  なお表示器７は、ＬＥＤ表示またはＬＣＤ表示とするのが良い。【００１７】  表示ランプ５は、装置電源のＯＮ表示、動作モードの表示、バッテリー残量警告等、各種表示を行う。【００１８】  操作スイッチ６は、装置電源のＯＮ／ＯＦＦ、動作モードの変更等、マイコンへの各種動作の指示を行う。【００１９】  実施例では、バットのスイングスピードとスイング回数を同時に計測する装置としたが、コストや用途に合わせ、スイングスピードのみ計測する装置、またはスイング回数のみ計測する装置としてもよい。また、計測装置３に無線モジュール（図示せず）を搭載し、インターネットを介してパソコンやスマートフォン１１に測定結果を送信して更に詳細なデータ分析を行うことも勿論可能である。例えば、図３（ｂ）に示すような受信データの表示画面１２を設ける。【００２０】  また、図４及び図５に示すように、ベルト１０に外形が俵形のウエイト９を複数個取り付け、バット１に巻回して重量を付加するようにしてもよい。ベルト１０は合成樹脂あるいは皮革などの柔軟な材質の帯の両端に面ファスナー１０ａを設けて、バット１の任意の位置にベルト１０を巻回して両端を止着する。すなわち、バット１の先端側や手元側に自由に位置を変えてスイングの負荷状態を変化させられる。また、ウエイト９の外形を俵形にしたことによりバットのテーパー面に対しても直線的に配置できる。尚、複数のウエイトベルトを装着することで、さらに負荷を増すことができる。
【産業上の利用可能性】
【００２１】  計測装置本体３は簡単に着脱できる構造となっており、取り付け治具を交換する事によりバット以外にも、例えばゴルフクラブあるいはテニスやバトミントン等のラケットなどのスイングスピードやスイング回数の計測にも適用できる。
【符号の説明】
【００２２】１    バット
２    計測表示装置
３    ランプ
４    グリップ
５    グリップの指圧溝
６    スイング回数カウント表示部
７    最高スイング速度表示部
８    スイング速度表示部
９    ウエイト
１０  ベルト
１０ａ面ファスナー
１１  スマートフォン又はパソコン
１２  受信データ表示画面
【図１】
0003208433.tif 000003
【図２】
0003208433.tif 000004
【図３】
0003208433.tif 000005
【図４】
0003208433.tif 000006
【図５】
0003208433.tif 000007